(57)【特許請求の範囲】
【請求項１】
電気モータのためのマウントであって、モータを収容するスリーブを備え、該スリーブは、該スリーブの周囲に延びる第１の環状シール及び第２の環状シールと、前記スリーブの外周の周囲に延びる凹部とを有し、
前記第１の環状シール及び前記第２の環状シールは、前記スリーブに対して逆向きに配向されている、
ことを特徴とするマウント。
【請求項２】
前記スリーブは、第１の端部及び第２の端部を有する、
請求項１に記載のマウント。
【請求項３】
前記凹部は、前記スリーブの前記第１の端部に隣接して配置される、
請求項２に記載のマウント。
【請求項４】
前記第１の環状シールは、前記第１の端部に配置され、前記凹部は、前記第１の環状シールに隣接する、
請求項３に記載のマウント。
【請求項５】
前記第１の端部は、前記マウントの下流端である、
請求項３又は４に記載のマウント。
【請求項６】
前記第２の環状シールは、前記第２の端部に配置される、
請求項２から５のいずれかに記載のマウント。
【請求項７】
前記凹部は、前記スリーブの周囲を円周方向に延びる窪みである、
請求項１から６のいずれかに記載のマウント。
【請求項８】
前記凹部は、前記スリーブの半径方向外面に設けられる、
請求項１から７のいずれかに記載のマウント。
【請求項９】
前記凹部は、非圧縮状態の時に離間する第１の半径方向面及び第２の半径方向面を含む、
請求項１から８のいずれかに記載のマウント。
【請求項１０】
前記第１の面及び第２の面は、圧縮状態の時に互いに押し付けられる、
請求項９に記載のマウント。
【請求項１１】
ヘアケア機器であって、
流体入口、流体出口及び環状シートを有するケーシングと、
請求項１から１０のいずれかに記載の、電気モータのためのマウントと、
を備え、前記マウントは、前記環状シートによって支持される、
ことを特徴とするヘアケア機器。
【請求項１２】
ヘアケア機器であって、
流体入口、流体出口及び２つの環状シートを有するケーシングと、
前記環状シートによって支持された、電気モータのためのマウントと、
を備え、前記モータマウントは、モータを収容するスリーブを含み、該スリーブは、それぞれが該スリーブの周囲に延びて前記環状シートの一つと密封係合する第１の環状シール及び第２の環状シールと、前記スリーブの外周の周囲に延びる凹部とを含む、
ことを特徴とするヘアケア機器。
【請求項１３】
前記機器は、ヒータと、前記ケーシングを含むハンドルとを収容する本体を備える、
請求項１２に記載の機器。
【請求項１４】
前記機器は、前記ケーシングへの流体入口から前記本体内に流体出口へ延びる流体流路を備える、
請求項１２又は１３に記載の機器。
【請求項１５】
前記凹部は、前記モータマウントの下流端に設けられる、
請求項１２から１４のいずれかに記載の機器。
【発明の詳細な説明】
【技術分野】
【０００１】
本発明は、モータのための、好ましくは電気モータのためのマウントに関する。
【背景技術】
【０００２】
電気モータは、ますます高性能になっており、最新の設計は、かつてない速さの回転速度が可能である。１つのこのような電気モータの設計に、本出願人が自社の様々な手持型真空掃除機で使用し、１００Ｋｒｐｍ辺りの回転速度で駆動できるようなブラシレスＤＣモータがある。
【０００３】
真空掃除機、ファン及びヘアケア機器などの流体移動用途における高速モータの使用は、ファンユニットが物理的に小型のモータを備えているにも関わらず非常に速い流体流速を生じるという理由で技術的に魅力がある。
【発明の概要】
【発明が解決しようとする課題】
【０００４】
しかしながら、特に手持型機器では、機器の重量のかなりの部分をモータが成し、機器が落下した場合には、モータを損傷及びハウジングからの逸脱から保護しなければならない。
【課題を解決するための手段】
【０００５】
本発明は、電気モータのためのマウントであって、モータを収容するスリーブを含み、スリーブが、スリーブ周囲に延びる環状シールと、スリーブの外周の周囲に延びる凹部とを有するマウントを提供する。
【０００６】
スリーブは、第１の端部及び第２の端部を有することが好ましい。凹部は、スリーブの第１の端部に隣接して配置されることが好ましい。環状シールは、第１の端部に配置され、凹部は、環状シールに隣接することが好ましい。
【０００７】
第１の端部は、マウントの下流端であることが好ましい。
【０００８】
凹部は、スリーブの周囲を円周方向に延びる窪みであることが好ましい。
【０００９】
凹部は、スリーブの半径方向外面に設けられることが好ましい。
【００１０】
凹部は、非圧縮状態の時に離間する第１の半径方向面及び第２の半径方向面を含むことが好ましい。第１の面及び第２の面は、圧縮状態の時に互いに押し付けられることが好ましい。
【００１１】
上記複数の要素の各々、並びに上記又は各蛇腹シート及び上記凹部は、圧縮可能なマウント内に収容されたファンユニットのための弾性支持体である。
【００１２】
複数の要素は、スリーブの半径方向外面上のみに設けられることが好ましい。スリーブの半径方向内面は、滑らかであることが好ましい。ほとんどの利点は、要素／スタッドがスリーブの外面のみから突出する一方で、内面がスリーブ内のモータの基本ケーシングに均一に接触するように滑らかであるようにスリーブを構成することから得られると考えられる。しかしながら、本発明は、取り付けラグ、或いはスリーブの内面のみに形成された、又はスリーブの外面上のスタッドと組み合わせた点スタッドなどの特徴部を排除するものではない。
【００１３】
或いは、要素の少なくとも一部がスリーブの半径方向外面に設けられ、要素の少なくとも一部がスリーブの半径方向内面に設けられる。
【００１４】
スリーブは、ポリマー材料で形成することが好ましい。モータマウントをポリマー材料で形成すると有利な結果が達成され、現時点で好ましい材料は、ポリウレタンゴムである。使用する材料は、約２０のショア硬さを有することが好ましい。
【００１５】
また、流体入口、流体出口及び環状シートを有するケーシングと、環状シートによって支持された、電気モータのためのマウントとを含み、モータマウントが、モータを収容するスリーブを含み、スリーブが、スリーブの周囲に延びて環状シートスリーブと密封係合する環状シールと、スリーブの外周の周囲に延びる凹部とを含むヘアケア機器も開示する。
【００１６】
この機器は、ヒータと、ケーシングを含むハンドルとを収容する本体を含むことが好ましい。
【００１７】
好ましい実施形態では、機器が、ケーシングへの流体入口から本体内に流体出口へ延びる流体流路を含む。
【００１８】
凹部は、モータマウントの下流端に設けられることが好ましい。
【００１９】
スリーブは、第１の端部及び第２の端部を有することが好ましい。凹部は、スリーブの第１の端部に隣接して配置されることが好ましい。環状シールは、第１の端部に配置され、凹部は、環状シールに隣接することが好ましい。
【００２０】
第１の端部は、マウントの下流端であることが好ましい。
【００２１】
凹部は、スリーブの周囲を円周方向に延びる窪みであることが好ましい。
【００２２】
凹部は、スリーブの半径方向外面に設けられることが好ましい。
【００２３】
凹部は、非圧縮状態の時に離間する第１の半径方向面及び第２の半径方向面を含むことが好ましい。第１の面及び第２の面は、圧縮状態の時に互いに押し付けられることが好ましい。
【００２４】
上記複数の要素の各々、並びに上記又は各蛇腹シート及び上記凹部は、圧縮可能なマウント内に収容されたファンユニットのための弾性支持体である。
【００２５】
機器は、スリーブ内に位置するモータを含むことが好ましい。好ましい実施形態では、機器が、スリーブ内に位置するモータ及びインペラを含む。或いは、インペラは、スリーブの外部に存在する。
【００２６】
流体入口と流体出口の間には、スリーブを通る流体流路が設けられることが好ましい。モータマウントの環状シールは、流体流路をケーシングに対して密封し、流れがモータマウントの周囲を再循環して効率を低下させるのを防ぐ。
【００２７】
ケーシングは、好ましくはケーシングの内面から内面に対してほぼ垂直に半径方向内向きに延びるフランジなどの密封係合面を含むことが好ましい環状シートを含み、この環状シートは、環状シールと密封係合することが好ましい。
【００２８】
以下、添付図面を参照しながら本発明をほんの一例として説明する。
【図面の簡単な説明】
【００２９】
【図１】本発明によるモータマウントを使用できるヘアドライヤを示す図である。
【図２】図１のヘアドライヤの断面図である。
【図３】本発明によるモータマウントの等角図である。
【図４ａ】非圧縮状態のモータマウントの断面図である。
【図４ｂ】圧縮状態のモータマウントの断面図である。
【図５ａ】非圧縮状態のモータマウントの一部の拡大図である。
【図５ｂ】圧縮状態のモータマウントの一部の拡大図である。
【発明を実施するための形態】
【００３０】
図１及び図２に、ハンドル２０及び本体３０を備えたヘアドライヤ１０を示す。ハンドルは、本体３０に接続された第１の端部２２と、本体３０から遠位側に存在する、一次流体入口４０を含む第２の端部２４とを有する。ヘアドライヤ１０には、ケーブル５０を介して電力が供給される。ケーブル５０のヘアドライヤ１０からの遠位端にはプラグ（図示せず）が備わり、このプラグは、例えば主電源又はバッテリパックへの電気的接続部を提供する。
【００３１】
ハンドル２０は、本体３０からハンドルの遠位端２４に延びる外壁２００を有する。ハンドルの遠位端２４では、外壁２００にわたって端壁２１０が広がる。ケーブル５０は、この端壁２１０を通じてヘアドライヤに入り込む。ハンドル２０内の一次流体入口４０は、ハンドルの外壁２００に沿ってその周囲に広がる第１の開口部４２と、ハンドル２０の端壁２１０を貫いてその全体に広がる第２の開口部４６とを含む。ケーブル５０は、端壁２１０のほぼ中央に位置し、従ってハンドル２０の中心から延びる。ハンドル２０は、長手方向軸Ｘ−Ｘを有し、外壁２００は、この軸に沿って本体３０から遠位端２４の方に延びる。
【００３２】
ケーブル５０は、ユーザの手の中のハンドル２０の向きに関係なくヘアドライヤの平衡が保たれるという理由で、ハンドル２０の中心から延びることが好ましい。また、ユーザがハンドル２０上で手の位置を動かした場合でも、手に対するケーブル５０の位置が変化しないので、ケーブル５０から引っ張られることがない。仮にケーブルの中心をずらしてハンドルの片側に近付けた場合、ヘアドライヤの重量分布が向きと共に変化し、ユーザの気が散ってしまう。
【００３３】
一次流体入口４０の上流には、ファンユニット７０が設けられる。ファンユニット７０は、ファン及びモータを含む。ファンユニット７０は、モータマウント１００内に収容される。ファンユニット７０は、一次流体入口４０から本体３０内に延びる一次流体流路４００を通じて、一次流体入口４０から本体３０に向けて流体を吸い込み、ハンドル２０と本体３０は９０において接合される。本体３０は、第１の端部３２及び第２の端部３４を有し、一次流体流路４００は、本体３０内を本体の第２の端部３４に向かい、ヒータ８０の周囲を通って一次流体出口４４０まで続き、ファンユニットによって吸い込まれた流体は、ここで一次流体流路４００から出る。一次流体流路４００は直線ではなく、ハンドル２０内では第１の方向に進み、本体３０内では第１の方向と直交する第２の方向に進む。
【００３４】
本体３０は、外壁３６０及び内側ダクト３１０を含む。一次流体流路４００は、ハンドル２０と本体３０の接合部９０から本体に沿って、外壁３６０と内側ダクト３１０の間を本体３０の第２の端部３４における一次流体出口４４０に向かって延びる。
【００３５】
本体内には別の流体流路も設けられ、この流れはファンユニット又はヒータによって直接処理されず、ヘアドライヤ内の一次流を生成するファンユニットの作用によってヘアドライヤに吸い込まれる。この流体流は、一次流体流路４００内を流れる流体によってヘアドライヤ内に取り込まれる。
【００３６】
本体の第１の端部３２は、流体入口３２０を含み、本体の第２の端部３４は、流体出口３４０を含む。流体入口３２０及び流体出口３４０は、本体内を本体に沿って延びる、本体３０の内壁である内側ダクト３１０によって少なくとも部分的に定められる。流体流路３００は、内側ダクト３１０内を流体入口３２０から流体出口３４０に延びる。本体３０の第１の端部３２では、外壁３６０と内側ダクト３１０との間に側壁３５０が広がる。この側壁３５０は、少なくとも部分的に流体入口３２０を定める。一次流体出口４４０は環状であり、流体流路を取り囲む。
【００３７】
本体３０内の側壁３５０及び流体入口３２０の近くには、ヘアドライヤの制御電子回路を含むＰＣＢ７５が存在する。ＰＣＢ７５はリング状であり、内側ダクト３１０の周囲の、内側ダクト３１０と外壁３６０の間に延びる。ＰＣＢ７５は、一次流体流路４００と流体連通する。ＰＣＢ７５は、流体流路３００の周囲に延び、内側ダクト３１０によって流体流路３００から分離される。
【００３８】
ＰＣＢ７５は、ヒータ８０の温度及びファンユニット７０の回転速度などのパラメータを制御する。ＰＣＢ７５は、内部配線（図示せず）によってヒータ８０、ファンユニット７０及びケーブル５０に電気的に接続される。ＰＣＢ７５には、例えばユーザが様々な温度設定及び流速から選択を行えるように設けられた制御ボタン６２、６４が接続される。
【００３９】
使用時には、ファンユニット７０の作用によって流体が一次流体流路４００内に吸い込まれ、任意にヒータ８０によって加熱されて一次流体出口４４０から排出される。この処理流により、流体入口３２０において流体が流体流路３００内に取り込まれるようになる。この流体は、本体の第２の端部３４において処理流と合流する。図２に示す例では、この処理流が、流体出口３４０を通じてヘアドライヤから排出される取り込まれた流れを取り囲む環状流として一次流体出口４４０及びヘアドライヤから排出される。従って、ファンユニット及びヒータによって処理された流体は、この取り込まれた流れによって増大する。
【００４０】
次に、図３〜図５ｂを参照して本発明を詳細に説明する。モータマウント１００は、第１及び第２の開口端１１４、１１６を含む概ね円筒形のスリーブ１２０を含む。第１の開口端１１４及び第２の開口端１１６の両方の直径は、スリーブ１１２の直径と実質的に同じである。
【００４１】
スリーブ１１２の構造は、モータフレーム２７０、電気モータ及びインペラを含むファンユニット７０が収容されるチャンバ１１８を定める。ファンユニット７０は、スリーブ１１２の開口端１１４、１１６を通じてチャンバ１１８内に収容される。スリーブ１１２は、スリーブ１１２がファンユニット７０の外面を覆って引き寄せられ、必要に応じて伸長して、スリーブ１１２の内面１２２がファンユニット７０の周囲にソックスのような締り嵌めを形成するように、ポリマーなどの可撓性材料であることが好ましい。スリーブの内面１２２からは、一対の環状内部フランジ１２４が半径方向内向きに延びる。これらのフランジ１２４は、チャンバ１１８の範囲を定め、ファンユニット７０をスリーブ１２０に対して適所に保持するように適合される。なお、この実施形態では、内面１２２は、ファンユニット７０の円筒形の外形にぴったりと一致するように滑らかである。
【００４２】
ファンユニット７０は、簡略化のため、及びモータマウント１００の詳細を曖昧にしないために概略的に示していると理解されたい。ファンユニットは、本発明概念の中心ではなく、従って詳細には説明しない。また、この実施形態では、ファンユニット７０全体がモータマウント７０に収容されているが、これは必須ではなく、ファンがモータマウント７０の外部に存在してもよい。
【００４３】
モータマウント１００の１つの目的は、ファンユニット７０の周囲に適合して、ファンユニット７０の外部ケースと、ファンユニットが組み込まれる装置の内面との間の分離境界面の役割を果たすことである。モータマウント１００の分離特性を高めるために、スリーブ１１２には雑音減衰手段が備えられる。この実施形態では、雑音減衰手段が、スリーブ壁の外面１３０の周囲で離間した複数の突出要素１３２、１３４の形をとる。なお、明確化のために、これらの要素の一部にしか番号を付していない。
【００４４】
具体的には、第１のタイプの要素は、直円錐として形成されたスタッド１３２であり、これらの各々は、スリーブ１１２から離れる方を向いた、頂点１３６とも呼ばれる尖った点を定める。従って、スタッド１３２は、スリーブ１１２の表面の周囲に半径方向に分布する尖った点を提供して、ファンユニット７０及びモータマウント１００が組み込まれた隣接するハウジングとの境界面の役割を果たす。図２に、ケーシング又はハウジング１５０に組み込まれたモータマウント１００を示している。
【００４５】
第２のタイプの要素は、複数の圧縮リブ１３４であり、これらは、スリーブ１１２の外面１３０の半径方向周囲に離間して２列で配置され、一方の列は、フランジ１２４ａとスリーブ１１２の第１の端部１１４との間に、他方の列は、フランジ１２４ｂとスリーブ１１２の第２の端部１１６との間に配置される。従って、圧縮リブ１３４は、ファンユニット７０を含むチャンバ１１８の軸方向外部又は外側に配置される。圧縮リブ１３４は、ファンユニット７０に軸方向の緩衝をもたらす。
【００４６】
モータマウント１１０の各端部１１４、１１６には、環状シール１４０が設けられる。環状シール１４０は、複数の機能を有する蛇腹シール１４０ａ、１４０ｂであり、これらの機能の１つは、ケーシング１５０とモータマウント１００との間を密封することであり、２つ目の機能は、圧縮リブ１３４を収容することであり、３つ目の機能は、振動を分離することである。
【００４７】
ケーシング１５０は、一対の環状シート１６０を含み、これらの各々は、内壁２２０の半径方向内向きに延びてそれぞれの蛇腹シール１４０ａ、１４０ｂと密封係合するための密封係合面又はフランジ１６２ａ、１６２ｂを形成する。
【００４８】
この実施形態では、２つの蛇腹シール１４０ａ、１４０ｂが、スリーブ１１２に対して逆向きに配向される。これらの蛇腹シールは、ファンユニット７０の作動時に内側スリーブ面１２２と外側スリーブ面１３０との間に生じる圧力差を利用するように逆向きに配向されたものである。蛇腹シール１４０ａ、１４０ｂは自己エネルギー利用シールであり、ファンユニット７０が作動すると、各蛇腹シール１４０ａ、１４０ｂのそれぞれのシール面１４２ａ、１４２ｂがフランジ１６０の接触面１６２ａ、１６２ｂに押し付けられる。
【００４９】
圧縮リブ１３４は、スリーブ１１２の外面１３０上に一方の列１３４ａを有し、スリーブ１１２の内面１２２上に他方の列１３４ｂを有するが、この理由は、２列の蛇腹シール１４０ａ、４１０ｂが逆向きに配向され、一方の１４０ａがスリーブの内面１２２に対して凸状になっており、他方の１４０ｂがスリーブ１１２の内面１２２に対して凹状になっているためである。
【００５０】
接触面１６２ａ、１６２ｂが軸方向に配置された表面ではなく半径方向に配置された面であることにより、振動分離が改善される。接触面１６２ａ、１６２ｂは、フランジ１６０から形成された、主本体部分１５０内に位置する環状シートである。モータマウント１００上では、ケーシング１５０の各フランジ１６０の接触面１６２ａ、１６２ｂがファンユニット１２０のインペラの回転軸と実質的に直交するように、フランジ１２４ａ、１２４ｂが、モータマウント１００の内面１２２から半径方向内向きに延びる。また、ファンユニット７０のインペラの回転軸は、ケーシング１５０の長手方向軸と実質的に同一直線上にある。
【００５１】
蛇腹シール１３４は、ケーシング１５０の内面２２０から離間するように、また圧縮時であっても、蛇腹シール１４０ａ、１４０ｂがケーシング１５０の内面２２０から分離されるように、ケーシング１５０の内径よりも小さな環状シールであることが好ましい。
【００５２】
蛇腹シール１４０及び突出要素１３２、１３４は、モータマウント１００とケーシング１５０の内面１５２との間に複数の弾性支持体をもたらす。これらの弾性支持体は、モータマウント１００の半径方向周囲に、モータマウントの各端部１１４、１１６又はこれらに隣接して設けられ、配向に関わらずモータに軸方向及び半径方向の緩衝をもたらす。手で保持するように設計され、保持されていない時に配置されるベース面を有していない機器では、機器を落とした場合、又は表面以外にぶつけた場合にファンユニットを全ての方向の衝撃から保護する必要があるので、このことは、この種のモータマウント１００の重要な利点である。
【００５３】
図１及び図２に示すヘアドライヤでは、２つの最も重い部品がファンユニット７０とヒータ８０であり、従ってヘアドライヤ１０が落下した場合には、本体３０が最初に着地する傾向にある。モータフレーム２７０及びファンユニット７０がケーシング１５０からずれてしまうのをさらに保護するために、モータマウント１００の周囲には凹部１７０が設けられる。凹部１７０は、スリーブ１２０の周囲に円周方向に広がる窪みである。凹部１７０は、モータマウント１００の下流端付近に設けられる。
【００５４】
凹部１７０がヘアドライヤ１０内で正しく位置付けられるように、モータマウント１００には突出特徴部１７２が設けられる。この突出特徴部１７２は、下流側の環状シール１４０ｂから上向きに突出して、下流のフランジ内に存在する対応する特徴部に係合し、又は係合面１６２ｂを密封するように適合される。これにより、モータマウント１００が正確に配向され、下流端１１４が本体３０の方を向いて位置し、上流端１１６が流体入口４０の方を向いて位置することが確実になる。
【００５５】
凹部１７０は、モータマウント１００の下流端１１４の付近で環状シール１４０ｂに隣接して設けられる。環状シール１４０ｂは、モータマウント１００の下流端１１４が力Ｆによって押されると、ファンユニット７０の方に縮む（図４ｂ及び図５ｂ）。モータフレーム２７０及びファンユニット７０をケーシング１５０内の適所に保持するモータマウントフランジ１２４ａ及び１２４ｂは、非圧縮状態（図４ａ）の時には深さ（ｄ１）が約０．８ｍｍである。フランジ１２４ｂは、凹部１７０を有することにより、環状シール１４０ｂが圧縮されると半径方向内向きに膨らむ。図５ａ及び図５ｂを参照して分かるように、凹部１７０は、非圧縮状態（図５ａ）では２つの半径方向面１７４、１７６及び１つの長手方向面１７８によって定められる開いた間隙である。下流側の半径方向面１７４は、環状シール１４０ｂの上流端を定める。
【００５６】
例えば、ヘアドライヤ１０が落下後に床面に着地した時などに、モータマウント７０の下流端１１４に力Ｆが加わると、凹部１７０が押しつぶされ、２つの半径方向面１７４、１７６同士が押し付けられて間隙を閉じる。モータマウント１００は可撓性であるため、これによってモータマウント１００の半径方向内向きにモータフレーム２７０を越えて広がる出っ張り１８０が形成されるようになる。圧縮されていないフランジ１２４ｂと出っ張り１８０とを含む距離ｄ２は、約１ｍｍである。このモータマウント１００の厚みの増加は、ファンユニット７０の運動量に起因してモータフレーム２７０及びファンユニット７０がモータマウント１００及びケーシング１５０からずれることに対する保護を高める。
【００５７】
凹部１７０については、モータマウント１００の下流端１１４の付近に位置するものとして説明したが、モータマウント１００の上流端１１６の付近の上流側環状シール１４０ａの下流に、シール１４０ａに隣接してさらなる凹部を設けることもできる。この特定の実施形態では、重量分布が不均一であることに起因して、さらなる凹部は何らの利点ももたらさないが、重量分布のバランスが取れた機器では、さらなる凹部が必要になることもある。
【００５８】
上述したように、モータマウントは、ポリマー材料などの可撓性材料であることが好ましい。この実施形態では、ポリウレタンゴムが使用される。
【００５９】
凹部１７０は、モータマウント１００に力が加わった時にスリーブ１２０の内面１２２とモータフレーム２７０との間の接触を維持する助けとなるので、凹部１７０を使用することによってさらなる利点が得られる。凹部１７０が存在しなければ、力Ｆによって環状シール１４０ｂが押し下げられ、モータマウントのフランジ１２４ｂの近傍でスリーブ１２０の内面１２２がモータフレーム２７０から分断されることにより、モータマウントのフランジ１２４ｂが半径方向外向きに引っ張られるようになる可能性がある。従って、フランジ１２４ｂが、モータフレーム２７０と基本的に軸方向に整列する代わりに、位置ずれしてモータフレーム２７０の厚みの一部しか覆わなくなり、すなわちモータフレーム２７０及びファンユニット７０が、モータマウント１００に対してずれる可能性が高くなる。
【００６０】
上記では、例示的な図面の特定の実施形態のいくつかの変形例について説明した。以下では他の変形例について説明する。
【００６１】
図示の特定の実施形態では、ファンユニット７０が、流体移動手段として機能するモータ及びインペラを含み、空気流を矢印で示しており、モータ及びインペラは、いずれもモータマウント内に収容される。このような配置は、特に、掃除機などの高速空気流を必要とする他の装置、本体及び高温整髪ブラシのみに流体が流れる従来のヘアドライヤなどの他のヘアケア機器、及びファンに適用することができる。しかしながら、この特定の実施形態は例示に過ぎず、モータマウントがモータのみを収容してインペラが外部に存在することもでき、従ってモータマウント１００という用語のマウントとしての使用は、モータがインペラに結合されているか否かに関わらず、ぴったりと一致するハウジング内にモータを組み込む必要があるあらゆる装置に適用可能であると理解されたい。
【００６２】
円筒形のスリーブは、対応する形状を有するモータの外面を、保護及び分離材料から成る破れていない「ソックス」に封入するように機能するので、現時点ではこの形状が好ましい。しかしながら、スリーブがモータの外面全体を封入しないように部分的に円筒形である場合にも利点が得られると想定される。
【００６３】
この実施形態では、モータマウントの外面に複数の尖ったスタッドが設けられているが、モータマウントの内面は滑らかである。スリーブの内面が滑らかであることについて言及したが、これは正確な表面粗度の値を意図するものではなく、むしろ内面に表面欠陥／隆起及び突起が実質的に存在すべきでなく、従って内面がモータの外部ケースの外周面と均一に接触することを意図するものである。理論に縛られるわけではないが、スリーブの内面が滑らかであれば、モータとスリーブの間の良好な音響接触が促されると考えられる。
【００６４】
上述した特定の実施形態では、スリーブが円筒形である。しかしながら、このことは本発明にとって必須ではなく、スリーブが異なる断面形状を有することもできると理解されたい。スリーブは、モータケーシングに一致する必要があるので、ここでは、スリーブのプロファイルが、モータケーシングの円筒形状に一致するように円筒形になっている。従って、円筒形のモータケーシングが最も一般的ではあるが、スリーブは、モータの外部ケーシングと嵌合するために必要なあらゆる形状を有することができる。
【００６５】
特定の実施形態で説明した環状シールは蛇腹シールであるが、当業者には明らかなように、環状部分の密封と可逆的圧縮の両方が可能なあらゆる構成を適用することができる。
【図１】
0006259475.tif 000002
【図２】
0006259475.tif 000003
【図３】
0006259475.tif 000004
【図４ａ】
0006259475.tif 000005
【図４ｂ】
0006259475.tif 000006
【図５ａ】
0006259475.tif 000007
【図５ｂ】
0006259475.tif 000008